(57)【要約】【課題】  高い気密性を安定して確保できるとともに、障子の開閉力の軽減を図ることのできる竪タイト材の提供。【解決手段】  内障子２の召し合せ框６ｂ室外側面に固定した基部１０ａと、基部から外障子召し合せ框６ａに向けて突出するシール片１０ｂとを備え、シール片は、内障子開状態においては先端部が基端部よりも内障子閉方向側に位置するように傾斜し、内障子閉状態においては弾性変形して先端部が基端部よりも内障子開方向側に位置すると共に側面が外障子召し合せ框の見込み面１８に当接することを特徴とする。【選択図】      図１
2006225880.tif 000002
【特許請求の範囲】
【請求項１】
内障子の召し合せ框室外側面に固定した基部と、基部から外障子召し合せ框に向けて突出するシール片とを備え、シール片は、内障子開状態においては先端部が基端部よりも内障子閉方向側に位置するように傾斜し、内障子閉状態においては弾性変形して先端部が基端部よりも内障子開方向側に位置すると共に側面が外障子召し合せ框の見込み面に当接することを特徴とする竪タイト材。
【発明の詳細な説明】
【技術分野】
【０００１】
本発明は、引き違い窓の障子閉鎖時に内外障子の召し合せ框間の隙間を塞ぐ竪タイト材に関するものである。
【背景技術】
【０００２】
引き違い窓では、内外の障子の召し合せ框の間、竪枠と障子の戸先框の間、横枠と障子の横框の間にそれぞれタイト材を設け、窓の気密性や水密性の向上を図っている。召し合せ框に設ける竪タイト材は、特許文献１の第６図に記載されているように、一方の召し合せ框に固定される基部と、基部より他方の召し合せ框に向けてまっすぐに延びるフィン状のシール片を備え、障子閉鎖時にはシール片の先端部が弾性変形して他方の召し合せ框の見付面に面接触している。
【０００３】
上記従来の竪タイト材は、滑りの良いシリコンゴムで形成したとしても、シール片の先端部が召し合せ框の見付け面に面接触しているので摩擦抵抗が少なからず発生するし、加えてシール片の先端部が変形して召し合せ框間に潜り込む際にも抵抗が発生し、障子の開閉が重くなる。
【特許文献１】特開平２−１９７６８１号公報
【発明の開示】
【発明が解決しようとする課題】
【０００４】
本発明は以上に述べた実情に鑑み、高い気密性を安定して確保できるとともに、障子の開閉力の軽減を図ることのできる竪タイト材の提供を目的とする。
【課題を解決するための手段】
【０００５】
上記の課題を達成するために、請求項１記載の発明による竪タイト材は、内障子の召し合せ框室外側面に固定した基部と、基部から外障子召し合せ框に向けて突出するシール片とを備え、シール片は、内障子開状態においては先端部が基端部よりも内障子閉方向側に位置するように傾斜し、内障子閉状態においては弾性変形して先端部が基端部よりも内障子開方向側に位置すると共に側面が外障子召し合せ框の見込み面に当接することを特徴とする。
【発明の効果】
【０００６】
本発明の竪タイト材は、内障子開状態において先端部が基端部よりも内障子閉方向側に位置するように傾斜したシール片が、内障子閉状態においては弾性変形して先端部が基端部よりも内障子開方向側に位置すると共に側面が外障子召し合せ框の見込み面に当接するから、シール片が内外障子の召し合せ框間の隙間を室内側から確実に塞いで高い気密性を確保することができ、尚且つ従来のもののようにシール片が内外障子の召し合せ框間に潜り込んで框と擦れることがないので、障子の開け閉めが重くなることがなく、シール片の弾性変形による反発力が障子を開ける向きに働くので、障子が開けやすくなる。
【発明を実施するための最良の形態】
【０００７】
以下、本発明の実施の形態を図面に基づいて説明する。図２は引き違い窓の横断面図であり、図３は同縦断面図である。この引き違い窓は、上枠４、下枠３、及び左右の竪枠５ａ，５ｂを四周枠組みして構成した窓枠１４内に外障子１と内障子２を備え、外障子１と内障子２は、上枠４と下枠３に設けたレール１５に沿って左右に移動し、窓枠１４内で引き違い式に開閉するものである。内外障子１，２は、閉鎖時には戸先框７ａ，７ｂに設けた引き寄せピース１６と、内障子の召し合せ框６ｂに設けたクレセントとグレモン機構からなる施錠装置（図示省略）の作用により、室内側に引き寄せられて移動不能に施錠できる。内外障子の召し合せ框６ａ，６ｂの間と、竪枠５ａ，５ｂと障子戸先框７ａ，７ｂとの間には竪タイト材１０，１１を設けてあり、下枠３と障子下框８ａ，８ｂの間、及び上枠４と障子上框９ａ，９ｂとの間には横タイト材１３を設けてあって、障子閉鎖時には窓枠１４の開口部を内外障子１，２で気密性を保って閉鎖できる。図中の符号１２は、内障子２を開放したときにクレセントが竪枠５ａに衝突するのを防ぐ内障子ストッパーである。
【０００８】
図１は、内外障子１，２の召し合せ部の拡大した縦断面図であり、図１（ａ）は内障子開状態、図１（ｂ）は内障子閉状態を示している。内障子召し合せ框６ｂは、室外側面の障子枠外周側の縁部にタイト材ホルダー１７が設けてあり、このタイト材ホルダー１７に竪タイト材１０が室外向きに取付けてある。この竪タイト材１０は、タイト材ホルダー１７に嵌め込んで固定される基部１０ａと、基部１０ａの左右端部から室外側に向けて突出する二つのシール片１０ｂ，１０ｃとを備えている。シール片１０ｂ，１０ｃは、図１（ａ）に示すように、障子開状態においては先端部が基端部よりも内障子閉方向側に位置するように僅かに傾斜している。また、障子枠内周側に位置する右側のシール片１０ｃよりも障子枠外周側に位置する左側のシール片１０ｂの方が若干長くなっている。基部１０ａは半硬質樹脂で形成され、シール片１０ｂ，１０ｃは軟質樹脂で形成してある。
【０００９】
内障子２を閉鎖して施錠すると、図１（ｂ）に示すように、左側のシール片１０ｂは弾性変形して先端部が基端部よりも内障子開方向側に位置するように傾斜し、且つ先端部の側面が外障子召し合せ框６ａの障子枠内周側の見込み面１８に当接する。右側のシール片１０ｃは、弾性変形して先端部が基端部よりも内障子開方向側に位置するように傾斜すると共に先端部が外障子召し合せ框６ａの室内側面に当接する。このように、長く形成した左側のシール片１０ｂが逆向きに傾斜してその側面が外障子召し合せ框６ａの見込み面１８に当接することで、内外障子召し合せ框６ａ，６ｂ間の隙間を室内側から確実にシールすることができ、しかも障子開閉時にこのシール片１０ｂが外障子召し合せ框６ａの室内側に潜り込まず、同召し合せ框６ａの室内側面と擦れることがないので、障子の開閉が重くなるのを防止できる。またこのように、内障子２を閉鎖した状態でシール片１０ｂが弾性変形して外障子召し合わせ框６ａの見込み面１８に当接していると、シール片１０ｂから障子を開ける向きで反発力が働くことから、障子１，２が開けやすくなる。
【００１０】
本発明の竪タイト材は、引き違い窓に限らず、外障子を固定障子とした片引き窓にも用いることができる。
【図面の簡単な説明】
【００１１】
【図１】内外障子召し合せ部の拡大した横断面図であって、（ａ）は内障子開状態、（ｂ）は内障子閉状態を示している。
【図２】本発明の竪タイト材を取付けた引き違い窓の横断面図である。
【図３】本発明の竪タイト材を取付けた引き違い窓の縦断面図である。
【符号の説明】
【００１２】
１  外障子
２  内障子
３  下枠（横枠）
４  上枠（横枠）
５ａ，５ｂ  竪枠
６ａ，６ｂ  召し合せ框
７ａ，７ｂ  戸先框
８ａ，８ｂ  下框（横框）
９ａ，９ｂ  上框（横框）
１０  竪タイト材
１０ａ  基部
１０ｂ，１０ｃ  シール片
【図１】
2006225880.tif 000003
【図２】
2006225880.tif 000004
【図３】
2006225880.tif 000005